(57)【要約】  通信モジュール（１０）は、ワイヤを接続するための接点（１２、１４、１６）を有し、接点（１２、１４、１６）は、３または３の倍数である、いくつかの実質的に平行な列に配置され、ＰＯＴＳ信号、回線信号、またはＤＳＬＡＭ信号などの、一定の信号を伝送するよう割り当てられた少なくとも１列の接点（１２、１４、１６）が、それぞれ３の倍数の列内に、任意の隣接する接点の列とは異なる信号を伝送するよう割り当てられる。
2009516398.tif 000002
【特許請求の範囲】
【請求項１】
ワイヤを接続するための接点（１２、１４、１６）を有する通信モジュール（１０）であって、前記接点（１２、１４、１６）が、３または３の倍数である、いくつかの実質的に平行な列に配置され、ＰＯＴＳ信号、回線信号、またはＤＳＬＡＭ信号などの、一定の信号を伝送するよう割り当てられた少なくとも１列の接点（１２、１４、１６）が、それぞれ３の倍数の列内に、任意の隣接した接点の列とは異なる信号を伝送するよう割り当てられた通信モジュール。
【請求項２】
少なくとも１つの第１の列の前記接点（１２）が、ＰＯＴＳ信号を伝送するよう割り当てられ、少なくとも１つの第２の列の前記接点（１４）が、回線信号を伝送するよう割り当てられ、少なくとも１つの第３の列の前記接点（１６）が、ＤＳＬＡＭ信号を伝送するよう割り当てられた請求項１に記載の通信モジュール。
【請求項３】
前記接点（１２、１４、１６）の列が、第１の列、第２の列、および第３の列の順序で配置される請求項２に記載の通信モジュール。
【請求項４】
少なくとも２列の少なくとも２つの接点（１２、１４）が、互いに接続可能かつ切断箇所（１８）で互いから切断可能である請求項１〜３のいずれか一項に記載の通信モジュール。
【請求項５】
前記接点（１２、１４、１６）が、前面（２０）で露出しており、前記通信モジュール（１０）が、その背面（２２）から前記接点（１２、１４、１６）に接触するようアクセス可能である請求項１〜４のいずれか一項に記載の通信モジュール。
【請求項６】
少なくとも１つのスプリッタ回路（２４）と合わせた、請求項１〜５のいずれか一項に記載の通信モジュール。
【請求項７】
請求項１〜６のいずれか一項に記載の、少なくとも２つの通信モジュール（１０）を備えたアセンブリ。
【請求項８】
少なくとも２つの通信モジュール（１０）が、前記通信モジュールの間に配置された仮想平面に対称に配置される請求項７に記載のアセンブリ。
【請求項９】
少なくとも２つの通信モジュール（１０）が、同一の配向で配置される請求項７または８に記載のアセンブリ。
【発明の詳細な説明】
【技術分野】
【０００１】
本発明は、通信モジュール、通信モジュールと少なくとも１つのスプリッタ回路との組合せ、および少なくとも２つの通信モジュールのアセンブリに関する。
【背景技術】
【０００２】
電気通信の分野においては、数多くの顧客が、通信回線を介して電気通信会社の交換機に接続されている。顧客は加入者とも呼ばれ得る。交換機は交換局とも呼ばれる。加入者と交換機との間で、通信回線の区間が通信モジュールに接続されている。通信モジュールは、第１の側の通信モジュールに取り付けられたワイヤと、第２の側の通信モジュールに取り付けられた別のワイヤとの間に電気接続を確立する。複数の通信モジュールは、主要配線盤、中間の配線盤、外部キャビネットなどの配線箇所、またはたとえばオフィスビルまたはオフィスビルの特定の床の配線箇所で、１つにまとめられ得る。柔軟な配線を可能にするために、いくつかの通信回線が、永久接続を構成するよう第１の通信モジュールに接続されている。第１の通信モジュールの接点と第２の通信モジュールの接点とを柔軟に接続する柔軟性が、いわゆるジャンパによって実現される。配置転換された人が、オフィスビル内を移動して、そのまま使用するつもりの、ある電話番号を有する異なる電話（即ち異なる電話回線）を設ける場合には、これらのジャンパが変更され得る。
【０００３】
近頃、電気通信の分野において、ＡＤＳＬ技術が広範囲に広まってきた。この技術により、少なくとも２つの異なる信号を１つの回線上で伝送することができる。これは、異なる周波数の異なる信号を同じ回線に沿って伝送することによって達成される。信号は、通信回線内の特定の箇所で結合され、別の箇所で分割される。特に、加入者側で、別個の音声信号とデータ信号とが結合され、同じ回線を介して中央のオフィスに送信される。中央のオフィスでは、結合された信号が分割される。音声信号およびデータ信号を加入者に伝送するために、別個の音声信号およびデータ信号が、中央のオフィスで結合され、加入者に送信され、加入者側で分割される。信号を分割した後、いわゆるＰＯＴＳ信号（単純旧式電話サービス）は、音声信号を伝送するのに使用され得る。分割された信号の残りの部分が、たとえばデータを伝送するのに使用され得る。信号を分割するまたは結合するのに使用される、いわゆるスプリッタが、一般に、任意の配線箇所に配置され得る。この場合、ＰＯＴＳワイヤまたはＰＯＴＳジャンパは、電気通信会社の交換局に接続されたワイヤである。さらに、回線接続は、加入者または顧客につながっているワイヤである。最後に、以下により詳細に論じるように、ＤＳＬＡＭワイヤは、ＤＳＬＡＭに接続されたワイヤであり、したがって、たとえば、データを伝送し得る。ＤＳＬＡＭ（Ｄｉｇｉｔａｌ  Ｓｕｂｓｃｒｉｂｅｒ  Ｌｉｎｅ  Ａｃｃｅｓｓ  Ｍｕｌｔｉｐｌｅｘｅｒ）とは、データ信号を処理する装置である。
【０００４】
特許文献１では、主要配線盤内に統合されたスプリッタについて記述している。統合されたアセンブリは３配列の接点を有し、第１の配列は回線に接続され、第２の配列はＰＯＴＳに接続され、第３の配列はＤＳＬＡＭに接続される。アセンブリの接点は、スプリッタ回路に接続されて、回線によって伝送される信号をＰＯＴＳ信号とＤＳＬＡＭ信号とに分割する。この公知のアセンブリでは、接点の配列を追加することにより多用性が向上するが、この接点の配列の追加は、すべての場合に必要なものではなく、公知のアセンブリによって達成される密度が向上し得る。
【０００５】
本出願人の特許文献２では、それぞれが２列の接点を有する、３つの通信モジュールのアセンブリについて記述している。
【０００６】
【特許文献１】国際公開第２００２／０７６１０９号パンフレット
【特許文献２】欧州特許第０４００６５３０号明細書
【発明の開示】
【発明が解決しようとする課題】
【０００７】
本発明は、通信モジュールの接点に接続された、回線信号、ＰＯＴＳ信号、およびＤＳＬＡＭ信号を担持する通信回線を接続して、簡単な設計かつ高密度を達成する通信モジュールを提供する。さらに、このような通信モジュールと少なくとも１つのスプリッタ回路との組合せ、および少なくとも２つの通信モジュールのアセンブリも提供される。
【課題を解決するための手段】
【０００８】
通信モジュールは、このモジュールが、通常絶縁材料の、一般にプラスチックの、ハウジングを備えることにおいて、当業者に公知の「標準モジュール」であり得る。通信モジュール、特にそのハウジングは、モジュールを、搬送機器、ラック、または電気通信の分野における同様の装置に取り付けることができるよう好適に設計された部分を有し得る。通信モジュールのこれらの部分は、たとえば、ラッチフックまたはスナップファスナによって構成され得る。その上、通信モジュールは、ワイヤを好適な方法で案内できるようにするための、フック、ワイヤガイドチャネル、または当業者に公知の他の任意の構造を有し得る。通信モジュールのハウジングは、他のモジュール、スプリッタ回路、過電圧または過電流防止装置などの、外部の物体を、通信モジュールの接点に接続できるようにするために、１つ以上の場所で開放され得るおよび／またはアクセス可能である。さらに、上述したように、１つ以上のスプリッタ回路が通信モジュール内に統合され得る。
【０００９】
特に、通信モジュールは、ワイヤとの接続を可能にするよう露出した接点を有する。接点は、広くかつ扁平な前面で露出され、モジュールは薄い板状のモジュールと考えられ得る。このようなモジュールは、たとえば、ドイツのノイス（Ｎｅｕｓｓ）にある、スリーエム（３Ｍ  Ｔｅｌｅｃｏｍｍｕｎｉｃａｔｉｏｎｓ）のクァンテ（Ｑｕａｎｔｅ）より、ＳＩＤという名称で市販されている。しかし、モジュールはまた、ブロック型の形態も有し得る。いずれにせよ、上述したＰＯＴＳワイヤ、回線ワイヤ、およびＤＳＬＡＭワイヤなどのワイヤが、通信モジュールの接点に接続され得る。接点は、ＩＤＣ（圧接接点）、ワイヤラップ接点、または他の任意の種類の接点であり得る。さらに、いくつかの接点がコネクタを構成するようまとめられ、そのまとめられた同じ数の接点を有する補足コネクタが、これに接続可能である。
【００１０】
新規な通信モジュールにおいては、接点は、３または３の倍数である、いくつかの実質的に平行な列に配置される。これは、一般に２つの平行な列の接点または２の倍数であるいくつかの列の接点を有する、これまでに公知の通信モジュールとは著しく異なる手法である。この従来の手法はまた、それぞれが２列の接点を有する、３つの通信モジュールのアセンブリについて記述した、本出願人の欧州特許第０４００６５３０号明細書にも見られ得る。これと比べて、本明細書に記述した通信モジュールは、特にＡＤＳＬ技術に必要な接続を可能にするのに使用される通信モジュールの基本構造の複雑さについて利点を有する。これは、以下により詳細に記述するように、３、６、９などの列の接点が、１列のＰＯＴＳ接続、１列の回線接続、および１列のＤＳＬＡＭ接続を確立するのに使用され得るためである。１列の接点は、一般に、同じ一定の種類の信号を伝送するよう割り当てられた、２つ以上の接点によって構成される。通信モジュールが６以上の列の接点を有する場合、上述した接点の列の順序が１回以上繰り返される。以下、新規な通信モジュールを、主に、３列の接点を有する実施形態に基づいて記述する。しかし、これに対応する考慮すべき事項が、６以上の列の接点を有する実施形態にも適用される。説明を簡単にするために、新規な通信モジュールの特徴および利点について記述する場合に異なる実施形態の間を区別する必要を避けて、３列の接点を有する実施形態についてのみ記述する。
【００１１】
通信モジュール内の３列の接点を統合することにより、１つの通信モジュールが、すべての必要な接続のための基盤として使用される。特に、上述した配線箇所がＡＤＳＬサービスを使用可能にするよう準備されている場合、最小の数の接続を準備すれば良い。基本的に、本明細書に記述した通信モジュールを使用することにより、上述の接点（ＰＯＴＳ接点、回線接点、およびＤＳＬＡＭ接点）のそれぞれの１列が確立される。これとは異なり、本出願人の欧州特許第０４００６５３０号明細書においては、上述した接点のそれぞれの２列が確立されることが記述されている。
【００１２】
さらに、本明細書に記述した通信モジュールは、確立され得る接続の高い密度を達成する。言い換えれば、多くの接続が比較的小さい空間内に確立され得る。特に、密度に関する詳細について記載した、本出願人の欧州特許第０４００６５３０号明細書について言及する。これらの詳細はまた、本明細書に記述した通信モジュールにも適用され、したがって、これらの詳細が参照により本明細書に組み込まれている。これはまた、配線に関する任意の一定の態様、通信モジュールの基本構造、および通信モジュールの一定の接点と共に作られる一定の接続の場合である。上述した出願のこれらの詳細は、詳細な記述の繰り返しを避け、参照により本明細書に組み込まれている。
【００１３】
要するに、通信モジュールは、配線箇所での必要な接続について効率的な基盤を提供し、これによりＡＤＳＬサービスが提供される。さらに、本明細書に記述した通信モジュールは、調整の必要が生じた場合に共に取り扱わなければならない２つ以上のモジュールのアセンブリと比べて、配線箇所でモジュールの配置を変更しなければならない状況においても、モジュールを１つ取り扱うだけで良いという点で好ましいものである。最後に、配線箇所を強化することによりモジュールの数が少なくなり、したがって費用が削減される。さらに、１種類のモジュールしか使用されないので、異なる部品および構成要素の数が減少し、したがって、さらに費用が削減される。
【００１４】
通信モジュールが、接点の列の数に関して、３の倍数を有することも考えられる。このような修正形態は、特に、１列がＰＯＴＳワイヤ、または回線ワイヤ、またはＤＳＬＡＭワイヤのいずれかに接続するよう適応される限りにおいて、新規な種類の通信モジュールであると考えられる。たとえば、６列の接点を有するモジュールが、ＰＯＴＳ、回線、ＤＳＬＡＭ、ＰＯＴＳ、回線、ＤＳＬＡＭの列の順序を有し得る。代替形態として、列の順序は、ＰＯＴＳ、回線、ＤＳＬＡＭ、ＤＳＬＡＭ、回線、ＰＯＴＳでもあり得る。９、１２などの、任意のより高い数の列の接点については、上述した対称および非対称の配置が、それぞれ、さらなる列に拡張され得る。このような種類のモジュールは、通信ブロックと呼ばれ得る。要約すると、正確に３列の接点を有する通信モジュールは、この数の列についてのみ新規である。６列の接点を有する実施形態が、少なくとも１列の接点が特定のサービス（ＰＯＴＳまたは回線またはＤＳＬＡＭ）に割当てられること、および任意の隣接した列が異なるサービスに割当てられることにより、新規であると考えられ得る。奇数および３の倍数である、９以上の数の列の接点を有する任意のモジュールが、この数の列の接点により新規である。後者の実施形態は、本出願に含まれる主題であると考えられたい。
【００１５】
一般に、本明細書に記述した通信モジュールの接点の列は、任意の種類の所望のサービスまたは信号を伝送するよう適応され得る。しかし、第１の列の接点がＰＯＴＳ信号を伝送するよう適応され、第２の列の接点が回線信号を伝送するよう適応され、第３の列の接点がＤＳＬＡＭ信号を伝送するよう適応される場合には、特にＡＤＳＬサービスに関する特別な利点が達成され得る。このような形態においては、通信モジュールは、ＡＤＳＬサービスを特定の加入者に提供するためのすべての必要な接続を提供するので、このサービスのための効率的な基盤が作られる。特に、通信モジュールが、一定の信号を受信し、通信モジュールの一定の接点に出力する、１つ以上のスプリッタ回路と結合されることから分かるように、接点は、上述の信号を伝送するよう割り当てられ得る。
【００１６】
接点の列の順序に関しては、現在、ＰＯＴＳ接点、回線接点、およびＤＳＬＡＭ接点の列をこの順序で設けることが好ましい。これは、明確かつ論理的に所望の接続を作ることができる順序である。
【００１７】
通信モジュールにおいては、少なくとも２列の少なくとも２つの接点が、互いに接続可能かつ切断箇所で互いから切断可能であり得る。特に、一方では１列のＰＯＴＳ接点、他方では１列の回線接点という接点が、このような切断箇所に設けられ得る。このようにして、（ＤＳＬＡＭに分割されることなく）上述の接点を互いに接続することにより、いわゆるライフラインサービスが提供され、したがって、ＰＯＴＳサービスのみが提供され得る。
【００１８】
ワイヤを通信モジュールの接点へ明確に案内および／または経路選択できるようにするために、モジュールは、ワイヤガイドを備え得る。これらは、フックおよび／または開放されたまたは閉じられたワイヤガイドチャネルとして形成され得る。特に、ワイヤガイドは、クァンテ社（Ｑｕａｎｔｅ  ＡＧ）の欧州特許第００１０１６５０号明細書および／または本出願人の国際公開第２００３／０６１３０３号パンフレットに従って形成され得る。
【００１９】
通信モジュールの一定の構造に関しては、ワイヤを接続するための接点が前面に露出しており、通信モジュールは、その背面から接点に接続するようアクセス可能であり得る。したがって、通信モジュールは、外部装置を背面から接点に接続できるようにするよう、背面で開放され得るおよび／またはアクセス可能であり得る。モジュールの前面に、ワイヤに接続するよう適応されたその接点が露出している。ある状況においては、これらのワイヤを、操作する、たとえば、取り出す、他の接点に接続する必要がある。さらに、前面から、試験プラグ、または過電圧または過電流保護装置などの保護構成要素を挿入する必要があろう。これらのプロセスは上述の構造によって促進され、これによれば、背面からスプリッタ回路などの他の構成要素を挿入できるよう、背面がアクセス可能である。したがって、任意のスプリッタ構成要素が前面から離されており、これにより、設置全体の信頼性、即ちスプリッタ回路および通信回線の両方の信頼性が向上する。モジュールは、さらに、保護モジュールおよび／または試験プラグなどのさらなる構成要素を挿入できるよう、その前面で開放され得る、即ちアクセス可能である。したがって、これらのモジュールが、前面以外の側から挿入する時に影響を受けない１つ以上のスプリッタ回路を備えたモジュール内に挿入され得る。
【００２０】
最後に記述した実施形態においては、通信モジュールは、特に、少なくとも１つのスプリッタ回路と結合されるのに適している。当業者には明らかであろうが、スプリッタ回路は、上述したように、結合された信号を分割するための、低域フィルタおよび高域フィルタなどの好適なフィルタを有する。さらに、信号を「分割する」ことについて言及してきたが、基本要件は、基本的に、ＰＯＴＳ信号およびＤＳＬＡＭ信号が回線に送られるよう互いに結合される通信システムの点において同一である。したがって、「スプリッタ」は、適切な環境において、信号「コンバイナ」と呼ばれることがあると理解されたい。スプリッタ回路は、上述したように、信号を分割するまたは結合する電気回路を有する。この信号は、アセンブリの接点に接続された、スプリッタ回路の接点を介して伝送される。したがって、たとえばスプリッタからＤＳＬＡＭ信号を受信する、アセンブリの接点は、ＤＳＬＡＭ信号を伝送するよう適応される。これに対応して、ＤＳＬＡＭにつながっている１対のワイヤが、アセンブリのこれらの接点に接続される。これに対応する考慮すべき事項が、回線信号およびＰＯＴＳ信号を伝送するよう適応されると記述されている接点にも適用される。特に、通信モジュールと少なくとも１つのスプリッタ回路との上述の組合せは、必要に応じてスプリッタ回路を追加することにより、段階的に強化され得る。スプリッタ回路は、複数のスプリッタ回路、恐らくは上述したモジュールに必要なスプリッタ回路のすべてを有するアセンブリ内に統合され得る。しかし、スプリッタ回路はまた、互いに別個に設けられ得る。つまり、１つの特定の回路が、３対の２つの接点、全部で６つの接点を有し、このそれぞれがモジュールの好適な接点に接続される。したがって、スプリッタブロックなどの、好適に統合された別個の構成要素内に設けられ得るこのようなスプリッタ回路は、回線スプリッタと呼ばれ得る。この手段を用いて、１人の特定の加入者の回線に接続されたそのスプリッタのみが、問題が生じた場合に、またはこれまでＰＯＴＳサービスのみを受けていた加入者がさらにＡＤＳＬサービスを使用することを望んだ場合に、アセンブリから取り外され得るまたはこれに追加され得る。一例として、上述した本出願人の欧州特許第０４００６５３０号明細書に記述されているスプリッタ回路は、本明細書に記述されているモジュールに使用され得る。
【００２１】
一般に、本明細書に記述した通信モジュールは、単独で使用され得る。即ち、配線箇所に、増加しつつある加入者にＡＤＳＬサービスを提供するための準備をするよう、この通信モジュールが段階的に装備され得る。しかし、少なくとも２つのこのような通信モジュールを備えたアセンブリは、第１のステップでより多くの接続を確立し、かつワイヤを接続する人々が精通している、３つのモジュールを備えた公知のアセンブリに匹敵する接点の列の順序を可能にする、アセンブリを、配線箇所で構成する。
【００２２】
このようなアセンブリにおいては、少なくとも２つの通信モジュールが、通信モジュールの間に配置された仮想平面に対称に配置され得る。この場合、接点の列の順序は、たとえば、ＰＯＴＳ、回線、ＤＳＬＡＭ、ＤＳＬＡＭ、回線、ＰＯＴＳであり得る。これは、同様のアセンブリ内に既に存在する順序に対応しており、このような形態が、ある順序の接続を妨害することなく、既に確立されているアセンブリと結合され得る。
【００２３】
しかし、一定の場合には、少なくとも２つの通信モジュールのアセンブリ内に、少なくとも２つのこのようなモジュールが、同一の配向で配置され得る。言い換えれば、これにより、ＰＯＴＳ、回線、ＤＳＬＡＭ、ＰＯＴＳ、回線、ＤＳＬＡＭなどの、連続した接続が作られる。この場合、少なくとも２つの通信モジュールが同一の配向で配置されるので、２つ以上の通信モジュールについて接続および配線が繰り返され得る。上述したアセンブリの通信モジュールに結合された任意のスプリッタ回路が、通信モジュール内に好適に挿入される。したがって、上記の最初に記述した実施形態においては、スプリッタ回路は対称に配置される。上記の第２に記述した実施形態においても、スプリッタ回路は、通信モジュールの「積重ね配置」に対応する、同一の配向を有する。
【００２４】
以下、図面を参照しながら、非制限的な例を用いて、本発明について記述する。
【発明を実施するための最良の形態】
【００２５】
図１は、本明細書に記述したように、２つの通信モジュール１０のアセンブリを断面側面図で概略的に示している。それぞれのモジュール１０が、図１の平面に垂直な方向に、ある延在部を有する。この断面図においては、それぞれの通信モジュール１０について１つの接点、１２、１４、１６が見えるが、これらの接点のそれぞれが、図面の平面に垂直な上述の延在部により、接点の列を表している。言い換えれば、さらなる接点、１２、１４、１６が、図１に示されている接点「の前に」および「の後ろに」存在する。
【００２６】
図１においては、通信モジュールの、通常プラスチックのハウジングが、２６で示されている。接点の列、１２、１４、１６は、このハウジング内で統合される。前面２０で、接点、１２、１４、１６、特にそれらの前端部が露出している。これにより、ワイヤを接続することが可能となる。示されている実施形態においては、接点１２は、ＰＯＴＳ信号を伝送するよう適応された接点である。したがって、これらはＰＯＴＳ接点１２と呼ばれ得る。接点１４は、回線信号を伝送するよう適応されており、回線接点１４と考えられ得る。最後に、接点１６は、ＤＳＬＡＭ信号を伝送するよう適応される。これらの接点との線形整列は、単に一例として述べたものであり、任意の所望の順序で、または任意の所望の種類の信号と共に選択されることがある。したがって、これらはＤＳＬＡＭ接点１６と呼ばれ得る。全部で、３列の接点、１２、１４、１６が、新規な通信モジュール１０内に、実質的に平行な３列で配置される。
【００２７】
また、ＰＯＴＳ接点１２および回線接点１４が、互いに接続可能かつ切断箇所１８で互いから切断可能であることが、図面から分かる。示されている場合においては、すべての接点、１２、１４、１６が、最初に、示されている実施形態においては前部２０から背面２２の方向に一般に延在する主要部分２８）を有する。前面２０の近くに、後方に湾曲した部分３０が形成される。示されている接点は、通常、図面の平面に垂直な方向に、数ミリメートルの延在部を有することを述べておく。したがって、スリットまたは溝穴（図１には見えない）が、図面の平面に垂直な、この延在部に沿った位置に形成され得る。このスリットは、（図１から分かるように、ほぼ水平方向に延在する）ワイヤを上述のスリット内に挿入できるよう、前部２０から背面２２の方向にその深さを有して延在する。
【００２８】
上記の記述は、ＩＤＣ接点に関する。しかし、いくつかのまたはすべての接点が、絶縁されたワイヤの露出したコアがこの周りで包まれ得る、ワイヤラップ接点としても形成され得ることを述べておく。さらに、左の通信モジュール１０のＰＯＴＳ接点１２に関して、接点の一般的な構造について上述してきた。しかし、回線接点１４の構造は、ほぼ同じである。図面から分かるように、回線接点１４は、主要部分２８に実質的に平行であり、かつ切断箇所１８を含む、仮想平面に対称に配置される。しかし、回線接点１４およびＤＳＬＡＭ接点１６の構造はまた、ＰＯＴＳ接点１２の構造とは異なり得る。その上、主要部分２８および前面で後方に湾曲した部分３０、および背面で後方に湾曲した第２の部分３２に関しては、ＤＳＬＡＭ接点１６の構造は、示されている実施形態においては、ＰＯＴＳ接点１２の構造とほぼ同じである。
【００２９】
しかし、ＰＯＴＳ接点１２および回線接点１４においては、前面で後方に湾曲した部分３０から延在する、傾斜したタブ３４が形成される。示されている実施形態においては、タブ３４は頂点３６を形成し、したがって、接点１２および１４の頂点が切断箇所１８で交わり得る。特に、これらは、この切断箇所で弾力的に交り、したがって、図３および図４に示されているような接続が作られ得る。代替形態として、プラグなどの、特にその突出部分４１などの、任意の好適な装置が、タブ３４を互いに分離するよう、示されているように前部２０からまたは背面２２から挿入され得る。示されている実施形態においては、突出部分４１は、たとえばプラスチックからなる、特にそのハウジングの、スプリッタ回路２４の一部として形成される。しかし、突出部分４１または好適なプラグはまた、スプリッタ回路２４とは別個に設けられ、前部２０から挿入され得る。
【００３０】
示されている実施形態においては、通信モジュール１０は、開放されており、背面からアクセス可能である。特に、スプリッタ回路２４が背面２２から挿入され得る。上述したように、スプリッタ回路は、通信モジュール１０のハウジング２６を一部分包含するよう形成され得る、好適なハウジング内に統合され得る。スプリッタ回路は、回線接点１４、ＰＯＴＳ接点、またはＤＳＬＡＭ接点から受信されるか、またはこれらに送信される信号を分割するまたは結合するのに必要な、フィルタまたは他の電子構成要素を含む。このため、スプリッタ回路は、特に接点の背面の後方に湾曲した部分３２で、通信モジュール１０の接点、１２、１４、１６との接続を確立するために、通信モジュール１０内に挿入されるよう適応された、ハウジング４０から延在する接点３８を有する。示されている実施形態においては、スプリッタ接点３８は、通信モジュールの各接点の後方に湾曲した部分３２の方に延在する出っ張りを有する。
【００３１】
図１に示されている、２つの通信モジュール１０のアセンブリに関しては、図１は、通信モジュール１０が、通信モジュールの間に配置された平面に、即ち図１の垂直面に対称に配置された、実施形態を示している。図１から分かるように、通信モジュール１０は、それらの一般的な構造に関して同一である。しかし、これらは、異なる配向で配置されるので、ＰＯＴＳ接点１２は、左の通信モジュール１０では左側、右の通信モジュール１０では右側にある。左の通信モジュール１０の配向と比べて、右の通信モジュール１０の配向は、垂直軸を中心として１８０度「回転して」記述され得る。したがって、２つの通信モジュールのこのアセンブリの列の順序は、ＰＯＴＳ、回線、ＤＳＬＡＭ、ＤＳＬＡＭ、回線、ＰＯＴＳである。これは、ワイヤを接点に接触させる作業をする個人が精通している、接点の好ましい配置である。通信モジュールの配向に従ってまた、フィルタ回路２４が対称に配置される。したがって、スプリッタ回路２４は、両方の通信モジュール１０について同一であり得る。
【００３２】
これとは異なり、図２は、２つの通信モジュール１０のアセンブリを示しており、これもその構造に関して同一であり、さらに、図１に示されている通信モジュール１０と同一である。しかし、図２のアセンブリにおいては、これらは、同一の配向で配置される。即ち、ＰＯＴＳ接点１２は、両方の通信モジュール１０の左側にある。同じ考慮すべき事項が、通信モジュールの他の接点およびスプリッタ回路２４にも適用される。言い換えれば、スプリッタ回路も互いに同一であり、図１に示されているものと同一であり得る。しかし、図２においては、これらはまた、同一の配向を有する通信モジュール内に挿入される。要するに、図２のアセンブリは、ＰＯＴＳ、回線、ＤＳＬＡＭ、ＰＯＴＳ、回線、ＤＳＬＡＭという、接点の順序を提供する。これは、場合によっては好ましいものであり得る。特に、ワイヤを通信モジュールの接点に接続する目的を有する任意の個人が、一定のモジュールの配向に注意を払う必要がない。それどころか、配向は、図２に示されている２つのモジュールについて同じ、または通常配線箇所に存在するさらにより多くのモジュールについて同じである。その上、スプリッタ回路の挿入に関しても、同一の配向により、スプリッタ回路を通信モジュール内に挿入する操作が促進される。
【００３３】
最後に、図示されていないが、通信モジュール１０は、電気通信の分野において公知である、好適な搬送機器、ラック、または同様の装置にこれらを取り付けることができる、ラッチフックなどの好適な部分を有することを述べておきたい。特に、モジュールは、水平軸を中心として９０度回転して、図に示されている配向とは異なる配向で、配線箇所に配置され得る。
【００３４】
図３は、結合された任意のスプリッタ回路２４のない、図１に示されている通信モジュール１０のアセンブリを示している。この状況においては、接点１２および１４のタブ３４がそれらの頂点３６で交わり、したがって、接続がこの箇所で作られる。接点１２がＰＯＴＳ信号を伝送するよう割り当てられ、接点１４が回線信号を伝送するよう割り当てられるので、いわゆるライフラインサービスが、即ちＤＳＬＡＭ信号を伝送しないサービスが、提供され得る。このような状況において、接点１６が、たとえば、接地またはアース接続のために、かつ表示または監視目的に使用され得る。
【００３５】
これは、通信モジュール１０が同じ配向を有する、図４に示されている代替アセンブリにも適用され、これらは、図３の実施形態における垂直面で互いに対称である。
【図面の簡単な説明】
【００３６】
【図１】第１の実施形態における、本明細書に記述したアセンブリを示す概略断面側面図である。
【図２】第２の実施形態における、本明細書に記述したアセンブリを示す概略断面側面図である。
【図３】スプリッタ回路のない、図１のアセンブリを示す概略断面側面図である。
【図４】スプリッタ回路のない、図２のアセンブリを示す概略断面側面図である。
【図１】
2009516398.tif 000003
【図２】
2009516398.tif 000004
【図３】
2009516398.tif 000005
【図４】
2009516398.tif 000006
【手続補正書】
【提出日】平成20年11月5日(2008.11.5)
【手続補正１】
【補正対象書類名】特許請求の範囲
【補正対象項目名】全文
【補正方法】変更
【補正の内容】
【特許請求の範囲】
【請求項１】
ワイヤを接続するための接点（１２、１４、１６）を有する通信モジュール（１０）であって、前記接点（１２、１４、１６）が、３または３の倍数である、いくつかの実質的に平行な列に配置され、ＰＯＴＳ信号、回線信号、またはＤＳＬＡＭ信号などの、一定の信号を伝送するよう割り当てられた少なくとも１列の接点（１２、１４、１６）が、それぞれ３の倍数の列内に、任意の隣接した接点の列とは異なる信号を伝送するよう割り当てられた通信モジュール。
【請求項２】
少なくとも１つの第１の列の前記接点（１２）が、ＰＯＴＳ信号を伝送するよう割り当てられ、少なくとも１つの第２の列の前記接点（１４）が、回線信号を伝送するよう割り当てられ、少なくとも１つの第３の列の前記接点（１６）が、ＤＳＬＡＭ信号を伝送するよう割り当てられた請求項１に記載の通信モジュール。
【請求項３】
前記接点（１２、１４、１６）の列が、第１の列、第２の列、および第３の列の順序で配置される請求項２に記載の通信モジュール。
【請求項４】
少なくとも２列の少なくとも２つの接点（１２、１４）が、互いに接続可能かつ切断箇所（１８）で互いから切断可能である請求項１〜３のいずれか一項に記載の通信モジュール。
【請求項５】
前記接点（１２、１４、１６）が、前面（２０）で露出しており、前記通信モジュール（１０）が、その背面（２２）から前記接点（１２、１４、１６）に接触するようアクセス可能である請求項１〜４のいずれか一項に記載の通信モジュール。
【請求項６】
少なくとも１つのスプリッタ回路（２４）と合わせた、請求項１〜５のいずれか一項に記載の通信モジュール。
【国際調査報告】
2009516398.tif 000007
2009516398.tif 000008